(57)【要約】【課題】特殊な部材を設けたり、高い精度の加工を必要としたりすることなく、トレイドアのずれによって、外観が損なわれる不都合が発生するのを抑制するとともに、トレイドアが閉じるときに、フロントパネルに形成された開口部の口縁辺部と接触するときに出る接触音の発生を抑制する。【解決手段】ディスクトレイ２１と、開口部１１を備えたフロントパネル１と、トレイドア３とを有し、トレイドア３が閉じたときに開口部１１に対するトレイドア１の位置がずれるのを防ぐ位置ずれ防止部を備えており、トレイドア停止リブ１１１の中央に形成された凹部１６と、ドア本体３１の背面に形成された凸部３４とを有しており、凹部１６がねじりばね４が取り付けられている側の端部が奥に位置する傾斜１６１を有しているとともに、凸部３４が傾斜１６１に沿う傾斜３４１を有している。【選択図】図４
2008146722.tif 000002
【特許請求の範囲】
【請求項１】
光ディスクを載置することができるとともに前後進可能なディスクトレイと、
前記光ディスクを挿入又は排出するときに前記ディスクトレイが出入りする開口部を備えたフロントパネルと、
前記開口部に開閉可能に取り付けられ常時閉鎖する方向に付勢されるトレイドアとを有し、
前記フロントパネルは前記開口部の上側に前記開口部の内側に延伸し前記トレイドアの上部と当接するトレイドア停止リブと、フロントパネルの裏面に一体突設され前記トレイドアを回動可能に支持するための一対のトレイドア取付部とを備えており、
前記トレイドアは長尺形状のドア本体と、前記ドア本体の裏側に一体突設され、前記フロントパネルの背面に形成されたトレイドア取付部と係合するための一対の取付部と、前記取付部の一方に取り付けられ前記トレイドアを常時閉鎖方向に付勢するねじりばねとを備えており、
前記光ディスクにレーザ光を照射することで再生／記録を行うことができる光ディスク装置であって、
前記トレイドアが閉じたときに前記開口部に対する前記トレイドアの位置がずれるのを防ぐ位置ずれ防止部を備えており、
前記位置ずれ防止部は、前記開口部のトレイドア停止リブの中央に形成された凹部と、前記ドア本体の背面に形成され、前記トレイドアが閉じるときに前記凹部に嵌入される凸部とを有しており、
前記位置ずれ防止部は、前記凹部が前記ねじりばねが取り付けられている側の端部が奥になる傾斜面を有しているとともに、前記凸部が前記凹部の傾斜面と接触する傾斜面を有していることを特徴とする光ディスク装置。
【請求項２】
光ディスクを載置することができるとともに前後進可能なディスクトレイと、
前記光ディスクを挿入又は排出するときに前記ディスクトレイが出入りする開口部を備えたフロントパネルと、
前記開口部に開閉可能に取り付けられ常時閉鎖する方向に付勢されるトレイドアとを有し、
前記フロントパネルは前記開口部の上側に前記開口部の内側に延伸し前記トレイドアの上部と当接するトレイドア停止リブと、裏面に一体突設され前記トレイドアを回動可能に支持するための一対のトレイドア取付部を備えており、
前記トレイドアは長尺形状のドア本体と、前記ドア本体の裏側に一体突設され、前記フロントパネルの背面に形成されたトレイドア取付部と係合するための一対の取付部と、前記取付部の一方に取り付けられ前記トレイドアを常時閉鎖方向に付勢するねじりばねとを備えており、
前記光ディスクにレーザ光を照射することで再生／記録を行うことができる光ディスク装置であって、
前記トレイドアが閉じたときに前記開口部に対する前記トレイドアの位置がずれるのを防ぐ位置ずれ防止部を備えており、
前記位置ずれ防止部は、前記開口部のトレイドア停止リブに形成された凹部と、前記ドア本体の背面に形成され、前記トレイドアが閉じたときに前記凹部に嵌入された凸部とを有していることを特徴とする光ディスク装置。
【請求項３】
前記凸部は切断された球形状に形成されていることを特徴とする請求項２に記載の光ディスク装置。
【請求項４】
前記凸部は軸方向に切断された円柱形状を有していることを特徴とする請求項２に記載の光ディスク装置。
【請求項５】
前記凹部は前記トレイドア停止リブを分割する凹欠であることを特徴とする請求項２から請求項４のいずれかに記載の光ディスク装置。
【請求項６】
前記凹部は前記ねじりばねが取り付けられている側が奥になる傾斜面を有していることを特徴とする請求項２から請求項４のいずれかに記載の光ディスク装置。
【発明の詳細な説明】
【技術分野】
【０００１】
本発明は、光ディスクを載置したトレイが挿入、排出されるときに開閉するトレイドアを備えた光ディスク装置に関するものである。
【背景技術】
【０００２】
現在、音響機器、映像機器等の電子機器の多くは記録メディアとして光ディスクが採用している。光ディスクを用いる電子機器（光ディスク装置）はディスクトレイに光ディスクを配置し、前記ディスクトレイを摺動させることで前記光ディスクの出し入れを行っている。この場合、前記光ディスクの出し入れは、前記光ディスク装置のフロントパネルに設けられた開口部を介して行われる。
【０００３】
前記開口部が常に開いている場合、外観上見栄えが悪かったり、さらに、塵埃や異物等が前記開口部より進入し、誤作動、異常過熱や発火等の不具合が発生する原因になったりする。そこで、このような不具合の発生を抑制するために、前記ディスクトレイが出入りするときに、該ディスクトレイにあわせて開閉するトレイドアが取り付けられている。
【０００４】
前記トレイドアは前記開口部よりもわずかに小さな形状を有する本体部と、前記本体部の背面より一体的に突出した一対のコの字状のアームが形成されている。前記アームには外側に向けて一体突設された回転軸が備えられている。前記トレイドアは前記本体部が前記開口部に納まるように前記フロントパネルに取り付けられている。
【０００５】
前記トレイドアは前記回転軸を中心にフロントパネルの外部に下方に向かって回動するものであり、一対備えられている前記回転軸のうち一方の回転軸に巻き回されたコイル状のねじりばねにて、常時、閉じる方向に付勢されている。
【０００６】
前記トレイドアは、前記ディスクトレイが外部に移動するときに、前記ディスクトレイに押されて外方に回動し、開く。また、前記ディスクトレイが内部に移動するときには、前記ねじりばねの弾性力によって閉じられる。
【０００７】
しかしながら、前記トレイドアは閉じられたときに、片寄ってしまうことがある。これは、前記トレイドアの加工精度が悪く設計どおりに加工できてない場合や、前記ねじりばねを取り付けるときに、前記ねじりばねが前記回転軸の軸方向の弾性力を発生し、片寄ってしまう場合が考えられる。前記トレイドアがずれて閉じられてしまうと、光ディスク装置の外観が損なわれしまうという不具合が発生する。
【０００８】
そこで、特開２００６−１３４４１４号公報には、トレイパネルの位置ずれを戻すために、開口の口縁辺部に形成された位置規制部を備えており、前記位置規制部は上記開口の上下の口縁辺部に形成された第１規制要素と、左右の口縁辺部に形成された第２規制要素と、前記トレイパネルに形成され前記第１規制要素と摺動する後窄まりの第１傾斜面と、前記トレイパネルに形成され前記第２規制要素と摺動する後窄まりの第２傾斜面とを備えているものが示されている。
【０００９】
また、特開２００６−５４０２３号公報に記載の発明には、前記回転軸の周りに移動を規制するためのリブを形成しておき、トレイドアがずれて閉じるのを抑制するものが示されている。
【００１０】
【特許文献１】特開２００６−１３４４１４号公報
【特許文献２】特開２００６−５４０２３号公報
【発明の開示】
【発明が解決しようとする課題】
【００１１】
しかしながら、特開２００６−１３４４１４号公報に記載の発明では、第１規制要素と第２規制要素とをトレイドア及び開口部の口縁辺部に形成しなくてはならず、トレイドア及び前記開口部の前記口縁辺部の形状が複雑になりやすく、それだけ、製造にコストがかかる場合がある。また、端部を後窄まりの第１傾斜面と第２傾斜面とに形成するものも開示されているが、後窄まりの傾斜角度をある程度そろえなくてはならず、製造しにくい場合も考えられる。
【００１２】
また、特開２００６−５４０２３号公報に記載の発明では、ズレを防止するためのリブを形成しているが、リブを形成することで、トレイドアをフロントパネルに取り付けにくくなり、それだけ、組み立てが難しくなる。
【００１３】
また、上記の構成では、前記トレイドアが閉じるときに、前記開口部の前記口縁辺部とが当接することにより接触音が発生しやすい。
【００１４】
そこで本発明は、特殊な部材を設けたり、高い精度の加工を必要としたりすることなく、トレイドアのずれによって、外観が損なわれる不都合が発生するのを抑制することができる光ディスク装置を提供することを目的とする。
【００１５】
また本発明は、特殊な部材を設けたり、高い加工精度を必要としたりすることなく、トレイドアが閉じるときに、フロントパネルに形成された開口部の口縁辺部と接触するときに出る接触音の発生を抑制することができる光ディスク装置を提供することを目的とする。
【課題を解決するための手段】
【００１６】
上記目的を達成するために本発明は、光ディスクを載置することができるとともに前後進可能なディスクトレイと、前記光ディスクを挿入又は排出するときに前記ディスクトレイが出入りする開口部を備えたフロントパネルと、前記開口部に開閉可能に取り付けられ常時閉鎖する方向に付勢されるトレイドアとを有し、前記フロントパネルは前記開口部の上側に前記開口部の内側に延伸し前記トレイドアの上部と当接するトレイドア停止リブと、裏面に一体突設され前記トレイドアを回動可能に支持するための一対のトレイドア取付部を備えており、前記トレイドアは長尺形状のドア本体と、前記ドア本体の裏側に一体突設され、前記フロントパネルの背面に形成されたトレイドア取付部と係合するための一対の取付部と、前記取付部の一方に取り付けられ前記トレイドアを常時閉鎖方向に付勢するねじりばねとを備えており、前記光ディスクにレーザ光を照射することで再生／記録を行うことができる光ディスク装置であって、前記トレイドアが閉じたときに前記開口部に対する前記トレイドアの位置がずれるのを防ぐ位置ずれ防止部を備えており、前記位置ずれ防止部は、前記開口部のトレイドア停止リブに形成された凹部と、前記ドア本体の背面に形成され、前記トレイドアが閉じたときに前記凹部に嵌入された凸部とを有していることを特徴とする。
【００１７】
この構成によると、トレイドアが閉じるときに前記トレイドアの背面に形成された凸部がトレイドア停止リブに形成された凹部に嵌入されるので、前記トレイドアの閉動作の終了時に移動する。
【００１８】
これにより、前記トレイドアが閉じたときの開口部に対するずれを修正することができ、光ディスク装置の外観を損なう不具合の発生を抑制することができる。また、前記トレイドアが閉じるときに、前記ドア本体と前記トレイドア停止リブとが当接する前に、前記凸部の一部と前記凹部の一部が当接するので、接触による接触音の発生を抑制することができる。
【００１９】
前記凸部として、軸方向に切断された円柱形状のものや、切断された球形状に形成されているものを挙げることができる。切断された円柱形状のものの場合、軸を挟んで両側に曲面を有しているので、前記トレイドアの修正をどちらの方向にも行うことができる。これにより、前記トレイドアの前記ねじりばねの位置に関係なく取り付けることができ、それだけ、部材を形成しやすい。また、切断した球形状のものの場合、上下、左右に修正することができ、それだけ、前記トレイドアの前記開口部に対するずれを精度よく修正することが可能である。
【００２０】
前記凹部は前記ねじりばねが取り付けられている側が奥になる傾斜面を有しているものであってもよく、前記トレイドア停止リブを分割する凹欠であってもよい。
【００２１】
本発明にかかる光ディスク装置は次のようなものであってもよい。すなわち、光ディスクを載置することができるとともに前後進可能なディスクトレイと、前記光ディスクを挿入又は排出するときに前記ディスクトレイが出入りする開口部を備えたフロントパネルと、前記開口部に開閉可能に取り付けられ常時閉鎖する方向に付勢されるトレイドアとを有し、前記フロントパネルは前記開口部の上側に形成され前記トレイドアが閉鎖状態のときに該トレイドアの上部と係合するトレイドア停止リブと、フロントパネルの裏面に一体突設され前記トレイドアを回動可能に支持するための一対のトレイドア取付部とを備えており、前記トレイドアは長尺形状のドア本体と、前記ドア本体の裏側に一体突設され、前記フロントパネルの背面に形成されたトレイドア取付部と係合するための一対の取付部と、前記取付部の一方に取り付けられ前記トレイドアを常時閉鎖方向に付勢するねじりばねとを備えており、前記光ディスクにレーザ光を照射することで再生／記録を行うことができる光ディスク装置であって、前記トレイドアが閉じたときに前記開口部に対する前記トレイドアの位置がずれるのを防ぐ位置ずれ防止部を備えており、前記位置ずれ防止部は、前記開口部のトレイドア停止リブの中央に形成された凹部と、前記ドア本体の背面に形成され、前記トレイドアが閉じるときに前記凹部に嵌入される凸部とを有しており、前記位置ずれ防止部は、前記凹部が前記ねじりばねが取り付けられている側の端部が奥に位置する傾斜面を有しているとともに、前記凸部が前記凹部の傾斜面に沿う傾斜面を有している。
【発明の効果】
【００２２】
本発明によると、特殊な部材を設けたり、高い精度の加工を必要としたりすることなく、トレイドアのずれによって、外観が損なわれる不都合が発生するのを抑制することができる光ディスク装置を提供することができる。
【００２３】
また本発明によると、特殊な部材を設けたり、高い加工精度を必要としたりすることなく、トレイドアが閉じるときに、フロントパネルに形成された開口部の口縁辺部と接触するときに出る接触音の発生を抑制することができる光ディスク装置を提供することができる。
【発明を実施するための最良の形態】
【００２４】
以下に本発明の実施形態を図面を参照して説明する。図１は本発明にかかる光ディスク装置の一例の正面図であり、図２は図１に示す光ディスク装置の前面部の側断面図であり、図３は図１に示す光ディスク装置のフロントパネルを正面側から見た拡大図であり、図４は図１に示す光ディスク装置の平断面図である。図１に示す光ディスク装置はそれには限定されないが、ここではＤＶＤプレーヤである。図１、図２に示すＤＶＤプレーヤＰＬは、フロントパネル１と、ＤＶＤメディアを再生するＤＶＤプレーヤユニット２と、フロントパネル１の背面に取り付けられ開口部１１を開閉するトレイドア３と、トレイドア３を閉鎖する方向に付勢するねじりばね４とを有している。
【００２５】
フロントパネル１には後述するディスクトレイ２１が前後進するときに出入りする開口部１１と、ＤＶＤメディアを挿入、排出するためのメディアボタン１２と、電源ボタン１３と、ＤＶＤプレーヤＰＬの状態を示す表示部１４と、後述するトレイドア３の側面視略コの字状のアーム３２Ｒ、３２Ｌが回動可能に係合される係合部１５Ｒ、１５Ｌとを有している。
【００２６】
図２に示すように開口部１１の上部にはトレイドア３が閉じるときに、閉じすぎないようにトレイドア３を停止するトレイドア停止リブ１１１が備えられている。係合部１５Ｒ、１５Ｌにはアーム３２Ｒ、３２Ｌに突設される後述の支持軸３３Ｒ、３３Ｌが回動可能に挿入される係合孔１５１が形成されている。
【００２７】
図４に示すようにトレイドア停止リブ１１１の中央には、凹部１６が形成されている。凹部１６はねじりばね４が配置される右側が奥に凹んだ傾斜面１６１を備えている。トレイドア３の背面に形成された凸部３４と係合するものであり、凹部１６及び凸部３４とで位置ずれ部材を構成している。
【００２８】
図２に示すように、ＤＶＤプレーヤユニット２は、開口部１１を通過して外部に排出され、上部にＤＶＤメディアを載置する又はＤＶＤメディアを取り除くことで、ＤＶＤメディアを挿入排出するディスクトレイ２１を備えている。また、図示は省略しているが、ＤＶＤプレーヤユニット２にはＤＶＤメディアにレーザ光を照射する光ヘッド、ＤＶＤメディアを回転駆動するディスク駆動機構等のＤＶＤメディアを再生するための装置が備えられている。
【００２９】
トレイドア３は矩形状に形成された本体部３１と、裏面に突設された左右一対の側面視略コの字形状のアーム３２Ｒ、３２Ｌと、一対のアーム３２Ｒ、３２Ｌそれぞれの先端より一体的に突設された支持軸３３Ｒ、３３Ｌとを有している。一対のアーム３２Ｒ、３２Ｌのうち図３中左側のアーム３２Ｒの支持軸３３Ｒには、ねじりばね４が巻回されて配置されている。
【００３０】
本体部３１の背面には、中央上部に形成された凸部３４と、ディスクトレイ２１の底面と当接するための摺動リブ３１１が形成されている。図３、図４に示すように、凸部３４はねじりばね４が配置されている右側に向かって広がる傾斜面３４１を有する三角柱形状を有している。
【００３１】
また摺動リブ３１１はディスクトレイ２１がトレイドア３を押して開くときに、ディスクトレイ２１と凸部３４とが接触しないように形成されるものであり、それには限らないが、例えば、本体部３１の上部に向けて窄まる曲面を有するものを挙げることができる。
【００３２】
トレイドア３はねじりばね４によって支持軸３３Ｒ、３３Ｌを中心に回動するように付勢されている。トレイドア３はトレイドア停止リブ１１１と当接することで、内部に回動しすぎないように規制されている。
【００３３】
ディスクトレイ２１の排出時の動作を説明する。トレイドア３が閉鎖状態のときに、メディアボタン１２が押されると、ディスクトレイ２１がフロントパネル１に向けて前進する。ディスクトレイ２１の先端部がトレイドア３の摺動リブ３１１と接触し、トレイドア３を押す。ディスクトレイ２１はねじりばね４のトレイドア３を閉じようとする力に抗してトレイドア３を押しつつ開口部１１より排出され、このときトレイドア３は支持軸３３Ｒ、３３Ｌを中心に回動する。
【００３４】
ディスクトレイ２１が外部に排出されているときには、トレイドア３の摺動リブ３１１はねじりばね４から付勢される力によって付勢され、ディスクトレイ２１の下面と接触している。ディスクトレイ２１が排出されている状態で、メディアボタン１２が押されると、ディスクトレイ２１は後進する。ディスクトレイ２１が後進し、ディスクトレイ２１の先端がフロントパネル１の内部にひきこまれる。それと略同時に、トレイドア３はねじりばね４からの力で閉鎖する方向に回動し、最終的には開口部１１を閉鎖する。
【００３５】
図３、図４に示すように、ねじりばね４は支持軸３３Ｒのアーム３２Ｒと係合部１５Ｒとの間の部分に巻回されている。
【００３６】
図５はトレイドアを閉じる手順の断面拡大図である。図５（Ａ）に示すように、トレイドア３は支持軸３３Ｒ、３３Ｌを中心に回動することで、本体部３１が開口部１１に近づいていく（図中矢印Ａｒ１で示す方向）。このとき、トレイドア停止リブ１１１の凹部１６とトレイドア３の凸部３４とは横方向にずれている。これは、ねじりばね４の軸方向の復元力（弾性力）によって、トレイドア３のアーム３２Ｒが押されることで、トレイドア３全体が押されているからである。
【００３７】
図５（Ｂ）に示すように、この状態でトレイドア３を閉じると、トレイドア３とトレイドア停止リブ１１１が接触する前に、凹部の傾斜面１６１と凸部の傾斜面３４１とが当接する。これにより、トレイドア３が勢いよく閉じた場合であっても、最初に当接する部分の面積を小さくすることができ、トレイドア３がトレイドア停止リブ１１１に当接するときに発生する接触音を小さくすることが可能である。
【００３８】
また、凹部の傾斜面１６１と凸部の傾斜面３４とが当接した状態で、トレイドア３が閉じる方向（図中矢印Ａｒ１で示す方向）に移動することで、凸部の傾斜面３４が凹部１６の傾斜面１６１上を摺動し、結果として、トレイドア３はねじりばね４が配置されている方向（図中矢印Ａｒ２で示す方向）に移動する（図５（Ｂ）参照）。このように移動することで、凸部３４は凹部１６の内部に収納されるように移動し、トレイドア３は閉じられる（図５（Ｃ）参照）。凸部の傾斜面３４と凹部１６の傾斜面１６１とが当接し摺動するようにトレイドア３が閉じることで、開口部１１に対するトレイドア３の本体部３１の位置ずれを修正し、ＤＶＤプレーヤＰＬの外観の乱れの発生を抑制することが可能である。
【００３９】
また、トレイドア３が閉じるときに本体部３１の凸部３４以外の部分は、トレイドア停止リブ１１１に対してこすり合わせるように当接するので、トレイドア３の本体部３１の上部とトレイドア停止リブ１１１とが当接するときの接触音の発生を抑制することが可能である。
【００４０】
上記実施例において、凸部３４の傾斜面３４１は平面状のものを例に説明しているが、それに限定されるものではなく、膨らんだ曲面形状を有するものであっても良い。また、この場合、凹部１６の傾斜面１６１は平面状であっても良く、凸部３４の傾斜面３４１にあわせて、凹んだ曲面形状に形成されていても良い。
【００４１】
また、凹部１６は傾斜面を備えていない凹欠であってもよい。この場合、凸部３４が完全に挿入されるものが好ましい。
【００４２】
図６は本発明にかかる光ディスク装置の他の例のトレイドアが開いた状態の断面図である。図６に示す光ディスク装置はトレイドア停止リブ１１の凹部１７とトレイドア３の凸部３５とが異なる以外は、図４に示す光ディスク装置と同じ構成を有しており、実質上同じ部分には同一の符号が付してある。
【００４３】
図６に示すように、トレイドア停止リブ１１の凸部１７は、傾斜面を有しない凹部である。また、凸部３５は、円柱を軸方向に切断した形状を有するものである。このように、凸部３５が切断した円柱形状を有するものの場合、凸部３５を形成するのが容易であるとともに、トレイドア３が閉じるときに最初にトレイドア停止リブ１１１と接触する部分の大きさを小さくすることができ、それだけ接触音の発生を抑制することができる。
【００４４】
図７は本発明にかかる光ディスク装置のさらに他の例のトレイドアが開いた状態の断面図である。図７に示す光ディスク装置はトレイドア３の凸部３６とが異なる以外は、図６に示す光ディスク装置と同じ構成を有しており、実質上同じ部分には同一の符号が付してある。
【００４５】
図７に示すように、トレイドア３の凸部３６は、球を切断した形状を有しているものである。このように、切断した球形状の凸部３６を利用する場合、トレイドア３のずれを上下左右いずれの方向にも修正することができる。これにより、簡単な形状（球形状）を有するとともに、より精度の高いずれ修正を行うことができる。また、トレイドア３が閉じるときに最初にトレイドア停止リブ１１１と接触する部分の大きさを小さくすることができ、それだけ接触音の発生を抑制することができる。
【００４６】
上記各実施例において、凹部１６、１７をトレイドア停止リブ１１１と一体に奥側に凹ませた形状のものを採用しているが、凹部を形成する部分でトレイドア停止リブ１１１を分割する凹欠としてもよい。これによると、凹部の形状を簡略化することができる。
【００４７】
上記実施例において、光ディスク装置としてＤＶＤメディアの再生を行うＤＶＤプレーヤを採用しているが、それに限定されるものではなく、トレイを用いて光ディスクを挿入する光ディスク装置（例えば、ＣＤ、ＬＤ、ＢＤ等）を広く採用することができる。
【００４８】
以上、発明の実施形態を具体的に説明したが、本発明は上記実施形態に限定するものではなく、その要旨を逸脱しない範囲で種々変更可能である。
【産業上の利用可能性】
【００４９】
本発明は、ＤＶＤ、ＣＤ、ＢＤ等のトレイを用いてメディアの挿入を行うことができる光ディスク装置において適用することができる。
【図面の簡単な説明】
【００５０】
【図１】本発明にかかる光ディスク装置の一例の正面図である。
【図２】図１に示す光ディスク装置の前面部の側断面図である。
【図３】図１に示す光ディスク装置のフロントパネルを正面側から見た拡大図である。
【図４】図１に示す光ディスク装置の平断面図である。
【図５】トレイドアを閉じる手順の断面拡大図である。
【図６】本発明にかかる光ディスク装置の他の例のトレイドアが開いた状態の断面図である。
【図７】本発明にかかる光ディスク装置のさらに他の例のトレイドアが開いた状態の断面図である。
【符号の説明】
【００５１】
ＰＬ  ＤＶＤプレーヤ
１  前面パネル
１１  開口部
１１１  停止リブ
１２  メディアボタン
１３  電源ボタン
１４  表示部
１５Ｌ、１５Ｒ  係合部
１５１  係合孔
１６  凹部
１６１  傾斜面
２  ＤＶＤプレーヤユニット
２１  ディスクトレイ
３  トレイドア
３１  本体部
３２Ｌ、３２Ｒ  アーム
３３Ｌ、３３Ｒ  支持軸
３４  凸部
３４１  傾斜面
４  ねじりばね
【図１】
2008146722.tif 000003
【図２】
2008146722.tif 000004
【図３】
2008146722.tif 000005
【図４】
2008146722.tif 000006
【図５】
2008146722.tif 000007
【図６】
2008146722.tif 000008
【図７】
2008146722.tif 000009